(57)【要約】  先細い生体内腔へ挿入できると共に、広い範囲を効果的にアブレーションできる医療デバイスを提供する。  医療デバイス（１０）は、長尺なシャフト部（２０と、シャフト部（２０の先端部に配置され、シャフト部（２０の長さ方向に沿って延在し、前記シャフト部（２０の径方向に変形可能である電気的に独立した複数の電極部（４０と、シャフト部（２０に埋設される埋設部５２を備え、電極部４０へ電流を通す電気的に独立した複数の導電体５０と、を有し、少なくとも１つの導電体５０は、シャフト部２０の先端面２５から突出し、電極部４０と接続される突出部５１を有する。
2020067491.tif 000002
【特許請求の範囲】
【請求項１】
長尺なシャフト部と、
前記シャフト部の先端側に配置され、前記シャフト部の長さ方向に沿って延在し、前記シャフト部の径方向に変形可能である電気的に独立した複数の電極部と、
前記シャフト部に埋設される埋設部を備え、前記電極部へ電流を通す電気的に独立した複数の導電体と、を有し、
前記少なくとも１つの導電体は、前記シャフト部の先端面から突出し、前記電極部と接続される突出部を有する医療デバイス。
【請求項２】
複数の前記導電体の各々が前記突出部を有し、前記突出部の各々が異なる前記電極部と接続される請求項１に記載の医療デバイス。
【請求項３】
前記突出部の少なくとも一部は、前記シャフト部の周方向と直角である請求項１または２に記載の医療デバイス。
【請求項４】
前記突出部の少なくとも一部は、前記シャフト部の軸心と平行であり、前記埋設部の少なくとも一部は、前記シャフト部の軸心を巻回する螺旋状である請求項１〜３のいずれか１項に記載の医療デバイス。
【請求項５】
複数の前記電極部は、前記シャフト部の周方向に均等に配置される請求項１〜４のいずれか１項に記載の医療デバイス。
【請求項６】
前記シャフト部の軸心から前記導電体までの半径をＲ、前記導電体の数をＮ、前記シャフト部の軸心と直交する断面に対する前記導電体の傾斜角度をθとした場合、隣接する前記導電体の中心軸間の距離は、２πＲ／Ｎ・ｓｉｎθである請求項１〜５のいずれか１項に記載の医療デバイス。
【請求項７】
複数の前記電極部は、前記シャフト部の周方向の一部に偏って配置される請求項１〜４のいずれか１項に記載の医療デバイス。
【請求項８】
前記シャフト部の外周面に配置される環状の支持体をさらに有し、
前記支持体は、前記電極部および前記突出部の少なくとも一方を収容する収容部が形成されている請求項１〜７のいずれか１項に記載の医療デバイス。
【請求項９】
前記シャフト部は、前記先端面よりも径方向内側の位置から、前記先端面よりも先端側へ突出する段差部を有する請求項１〜８のいずれか１項に記載の医療デバイス。
【請求項１０】
前記導電体は、螺旋状に編組された複数の線材の少なくとも一部であり、絶縁材料で表面を被覆されている請求項１〜９のいずれか１項に記載の医療デバイス。
【請求項１１】
前記シャフト部および電極部の間に位置し、前記シャフト部の径方向外側へ拡張可能な拡張体を有する請求項１〜１０のいずれか１項に記載の医療デバイス。
【発明の詳細な説明】
【技術分野】
【０００１】
本発明は、生体内に挿入され生体組織に対しアブレーションによる処置を行う医療デバイスに関する。
【背景技術】
【０００２】
医療デバイスとして、不可逆電気穿孔法（ＩＲＥ：Ｉｒｒｅｖｅｒｓｉｂｌｅ  Ｅｌｅｃｔｒｏｐｏｒａｔｉｏｎ）による治療を行うものが知られている。不可逆電気穿孔法は、非熱性であり、周囲の血管や神経への損傷を抑えることができることから、注目されている。例えば、外科手術での除去が困難ながんに対して、不可逆電気穿孔法を用いて治療を行う医療装置が知られている。【０００３】
肺静脈壁の心筋スリーブで発生する異常興奮が原因となる心房細動に対して、肺静脈と左心房との接合部をアブレーションし、心筋細胞を破壊する肺静脈隔離術が行われることがある。肺静脈隔離術では、アブレーションカテーテルの先端から高周波を発生させて、心筋を点状に焼灼して壊死させる。アブレーションカテーテルは、肺静脈流入部を円周状に焼灼するように移動され、肺静脈を隔離する。【０００４】
例えば特許文献１には、長尺な管体の外周面にリング状の電極が設けられたデバイスが記載されている。管体の内部には、電極へ電流を供給する導電体が、螺旋状に配置されている。
【先行技術文献】
【特許文献】
【０００５】
【特許文献１】米国特許第９２２７０３６号明細書
【発明の概要】
【発明が解決しようとする課題】
【０００６】
生体管腔に挿入されるデバイスは、細い生体管腔に挿入できるように、細径化が望まれる。しかしながら、上述の先行文献１に記載のデバイスは、電極が、導電体に対して管体の径方向外側に位置している。このため、生体内へ挿入されるデバイスを細径化することが困難である。【０００７】
本発明は、上述した課題を解決するためになされたものであり、細い生体内腔へ挿入できると共に、広い範囲を効果的にアブレーションできる医療デバイスを提供することを目的とする。
【課題を解決するための手段】
【０００８】
上記目的を達成する医療デバイスは、長尺なシャフト部と、前記シャフト部の先端側に配置され、前記シャフト部の長さ方向に沿って延在し、前記シャフト部の径方向に変形可能である電気的に独立した複数の電極部と、前記シャフト部に埋設される埋設部を備え、前記電極部へ電流を通す電気的に独立した複数の導電体と、を有し、前記少なくとも１つの導電体は、前記シャフト部の先端面から突出し、前記電極部と接続される突出部を有する。
【発明の効果】
【０００９】
上記のように構成した医療デバイスは、電極部が径方向外側へ突出せず細径化が可能であるため、細い生体内腔へ挿入できると共に、径方向に湾曲する電極部により、広い範囲を効果的にアブレーションできる。
【図面の簡単な説明】
【００１０】
【図１】第１実施形態に係る医療デバイスを示す正面図である。
【図２】医療デバイスを示す図であり、（Ａ）は図１のＡ−Ａ線に沿う断面図、（Ｂ）は図１のＢ−Ｂ線に沿う断面図である。
【図３】医療デバイスの先端部を示す断面図である。
【図４】外管を透過して導電体を示すシャフト部の周方向展開図である。
【図５】電極部を拡張させた状態の医療デバイスの先端部を示す断面図である。
【図６】第２実施形態に係る医療デバイスを示す正面図である。
【図７】図６のＣ−Ｃ線に沿う断面図である。
【図８】シャフト部を示す断面図である。
【図９】第３実施形態に係る医療デバイスの先端部を示す断面図である。
【図１０】図９のＤ−Ｄ線に沿う断面図である。
【発明を実施するための形態】
【００１１】
以下、図面を参照して、本発明の実施の形態を説明する。なお、図面の寸法は、説明の都合上、誇張されて実際の寸法とは異なる場合がある。また、本明細書及び図面において、実質的に同一の機能構成を有する構成要素については、同一の符号を付することにより重複説明を省略する。本明細書では、管腔に挿入する側を「先端側」、操作する手元側を「基端側」と称することとする。
＜第１実施形態＞
【００１２】
第１実施形態に係る医療デバイス１０は、生体内腔へ経皮的に挿入され、目的部位の生体組織に接触して電気信号を印加し、不可逆電気穿孔法を実施するものである。本実施形態の医療デバイス１０が対象とするのは、肺静脈隔離術において、肺静脈の入口部を全周に渡って電気穿孔する治療である。ただし、医療デバイス１０は、その他の治療にも適用できる。
【００１３】
図１〜３に示すように、医療デバイス１０は、長尺なシャフト部２０と、シャフト部２０の先端部に設けられる拡張体であるバルーン３０と、シャフト部２０の基端部に設けられるハブ６０とを有している。さらに、医療デバイス１０は、バルーン３０の周囲に設けられる複数の電極部４０と、電極部４０へ電流を伝える導電体５０とを有している。
【００１４】
シャフト部２０は、管状の外管２１と、第１管体２３の内側に配置される内管２２とを有している。外管２１および内管２２は、同軸状に配置される。外管２１および内管２２は、相対的に軸方向へ移動可能である。外管２１は、管状の第１管体２３と、第１管体２３の外周面を覆って第１管体２３に固定される第２管体２４とを有している。第１管体２３と第２管体２４の間には、導電体５０が挟まれるように配置される。第１管体２３および第２管体２４は、同軸状に配置される。第１管体２３は、第２管体２４の先端面２５よりも先端側まで延在する段差部２６を有している。段差部２６は、円管形状を有している。段差部２６の外周面には、バルーン３０の基端部が固定されている。また、段差部２６の外周面には、電極部４０と導電体５０との接続部５４が配置されていてもよい。また、導電体５０は、第２管体２４よりも内側に配置される第１管体２３の外表面に配置されることによって、周方向Ｚへ均等に配置されやすい。
【００１５】
内管２２の内部には、長さ方向に沿うガイドワイヤルーメン２７が形成される。ガイドワイヤルーメン２７には、ガイドワイヤを挿入可能である。外管２１の内部であって内管２２の外部には、拡張ルーメン２８が形成される。拡張ルーメン２８には、バルーン３０を拡張させるための拡張用流体を流通可能である。拡張用流体は気体でも液体でもよく、例えばヘリウムガス、ＣＯ２ガス、Ｏ２ガス、笑気ガス等の気体や、生理食塩水、造影剤、及びその混合剤等の液体を用いることができる。
【００１６】
内管２２は、第１管体２３の先端よりさらに先端側まで延在している。第１管体２３よりも先端側の内管２２の外周面には、バルーン３０の先端部が固定されている。内管２２は、バルーン３０が固定されている位置よりも先端側の外周面に、電極部４０の先端部を固定する固定部２９が固定されている。
【００１７】
シャフト部２０の外径は、特に限定されないが、低侵襲であり、かつ挿入する一般的なシースやガイディングカテーテルとの互換性を満たすために大きすぎないことが好ましく、例えば４．０ｍｍ以内、好ましくは２．９ｍｍ以内である。
【００１８】
第１管体２３、第２管体２４および内管２２の構成材料は、ある程度の可撓性を有することが好ましい。また、第１管体２３、第２管体２４および内管２２の構成材料は、絶縁性を有することが好ましい。そのような材料としては、例えば、ポリエチレン、ポリプロピレン、ポリブテン、エチレン−プロピレン共重合体、エチレン−酢酸ビニル共重合体、アイオノマー、あるいはこれら二種以上の混合物等のポリオレフィンや、軟質ポリ塩化ビニル樹脂、ポリアミド、ポリアミドエラストマー、ポリイミド、ポリエステル、ポリエステルエラストマー、ポリウレタン、ポリテトラフルオロエチレン等のフッ素樹脂、シリコーンゴム、ラテックスゴム等が挙げられる。
【００１９】
バルーン３０は、柔軟に変形可能である。バルーン３０の形状は、特に限定されないが、例えば、円筒、楕円体、台形等である。バルーン３０の先端部は、内管２２の先端部の外周面に固定されている。バルーン３０の基端部は、第１管体２３の先端部の外周面に固定されている。バルーン３０は、薄膜状であり、可撓性を有することが好ましい。また、バルーン３０は、電極部４０を確実に押し広げる程度の強度も必要とされる。バルーン３０の構成材料は、シャフト部２０について上で挙げたものを用いることができ、また、それ以外（例えば、水添スチレン系熱可塑性エラストマー（ＳＥＢＳ）などの各種エラストマー素材）を用いることもできる。
【００２０】
導電体５０は、線状であり、図１〜４に示すように、外管２１の内部に埋設される埋設部５２と、外管２１の先端面２５から先端方向へ突出する突出部５１と、基端側で外管２１から外部へ導出される導出部５３とを有している。埋設部５２は、第１管体２３と第２管体２４の間に挟まれている。埋設部５２は、外管２１の内周面よりも外側に位置し、かつ外周面よりも内側に位置する。例えば、第１管体２３の外周面に導電体５０となる線材を巻き、その外側に第２管体２４を押出成形することで、埋設部５２を外管２１に埋設できる。埋設部５２は、絶縁材料により形成される外管２１の材料に、隙間なく覆われてることが好ましい。これにより、埋設部５２同士が接触して電気的に短絡することを確実に抑制できる。導電体５０は、電極部４０の数以上設けられる。これにより、導電体５０は、全ての電極部４０に、独立した電流を伝えることができる。本実施形態では、導電体５０は、電極部４０の数と同数（例えば、１０本）設けられている。複数の導電体５０は、多状巻の螺旋構造で形成される。複数の導電体５０は、均等な間隔で離れて配置される。したがって、複数の導電体５０は、電気的に短絡せずに、独立した電流を伝えることができる。導電体５０同士の離間距離は、電気的な短絡が生じないように、供給する電気信号に応じて設定されることが好ましい。例えば、１０００Ｖの電気信号が印加される場合、導電体５０同士の離間距離は、１０μｍ以上であることが好ましい。これにより、医療デバイス１０の電気的安全性を向上できる。
【００２１】
シャフト部２０の軸心Ｘから導電体５０の中心軸Ｙまでの半径（距離）をＲ、導電体５０の数をＮ、シャフト部２０の軸心Ｘと直交する断面に対する導電体５０の傾斜角度をθとした場合、隣接する導電体５０の中心軸Ｙ同士の間の距離Ｄは、２πＲ／Ｎ・ｓｉｎθである。
【００２２】
半径Ｒは、例えば０．２〜２．６ｍｍである。数Ｎは、例えば２〜２０である。傾斜角度θは、例えば１〜４５度である。距離Ｄは、例えば０．０２〜８ｍｍである。
【００２３】
突出部５１は、軸心Ｘと略平行であり、電極部４０の基端部と接続されている。突出部５１の少なくとも一部は、シャフト部２０の周方向Ｚと直角である。すなわち、突出部５１の少なくとも一部は、シャフト部２０を周方向Ｚに展開した展開図を、シャフト部２０の径方向外側から見た場合に、シャフト部の軸心Ｘと平行である（図４を参照）。したがって、突出部５１は、外管２１の内部で螺旋状に巻かれている埋設部５２から、先端面２５を通過して先端方向へ突出すると、角度を変えて軸心Ｘと略平行となる。なお、突出部５１は、軸心Ｘと平行でなくてもよい。例えば、突出部５１は、先端方向へ向かってシャフト部２０の軸心Ｘに近づくように傾斜してもよい。この場合であっても、突出部５１は、周方向Ｚと直角であり得る。突出部５１の先端は、段差部２６の先端よりも基端側に位置している。このため、突出部５１および電極部４０の基端部は、段差部２６の外表面に安定して配置される。
【００２４】
導出部５３は、第２管体２４の基端部から基端方向へ引き出され、シャフト部２０の外部に設けられる電源部１２に接続されている。電源部１２は、電極部４０に対して電気を供給できる。
【００２５】
導電体５０の構成材料は、導電性が高いことが好ましく、例えば銅、金、白金、銀、アルミニウム、合金、または炭素繊維等である。導電体５０は、公知の導線を利用できる。
【００２６】
各々の電極部４０は、図２、３に示すように、バルーン３０の外周側に位置しており、バルーン３０とは固定されていない。なお、電極部４０は、バルーン３０に固定されてもよい。電極部４０は、導電性及び可撓性を有する線材で形成されている。複数の電極部４０は、バルーン３０の外周側に、バルーン３０の周方向Ｚへ並んで配置されている。各々の電極部４０は、シャフト部２０の長さ方向に延在している。電極部４０は、シャフト部２０の径方向に湾曲可能である湾曲部４１を備えている。電極部４０は、バルーン３０より基端側の電極基端部４２と、バルーン３０より先端側の電極先端部４３とを有している。
【００２７】
電極基端部４２の基端は、導電体５０の突出部５１の先端と突き当たって接合されている。これにより、電極部４０は、導電体５０と電気的に接続される。各々の電極部４０に設けられる電極基端部４２と突出部５１の接続部５４は、絶縁材料からなる絶縁チューブ４５で覆われている。接合方法は、電気的に導通できれば限定されず、例えば、半田付け、レーザー融着、各種金属ロウを用いた溶着、導電性接着剤による接着、チャック等による機械的連結でもよい。段差部２６の外周面に並ぶ複数の接続部５４、絶縁チューブ４５および突出部５１は、絶縁材料からなる１つの保護チューブ４６によりまとめて覆われる。したがって、接続部５４および突出部５１は、先端面２５よりも先端側で、絶縁チューブ４５および／または保護チューブ４６により覆われて、外部へ露出しない。これにより、医療デバイス１０の電気的安全性を向上できる。絶縁チューブ４５および保護チューブ４６の構成材料は、シャフト部２０について上で挙げたものを用いることができる。
【００２８】
電極先端部４３は、内管２２のバルーン３０よりも先端側に設けられる固定部２９に固定されている。各々の電極部４０の長さ方向と直交する断面形状は、長方形である。すなわち、電極部４０の長さ方向と直交する断面形状は、電極部４０の少なくとも一部において、バルーン３０の径方向に沿う長さよりも周方向Ｚに沿う長さが大きい形状である。したがって、断面の長辺は、バルーン３０の周方向Ｚに沿っている。これにより、バルーン３０の周方向Ｚに並ぶ複数の電極部４０は、バルーン３０の径方向に曲がりやすく、互いに近づく方向へは変形しにくい。したがって、電極部４０同士の電気的短絡や絡まりを抑制できる。なお、電極部４０の断面形状は、長方形に限定されず、例えば円形、半円形、楕円形、正方形等であってもよい。
【００２９】
電極部４０の構成材料は、例えばＮｉ−Ｔｉ合金に代表される超弾性金属を好適に使用できる。ただし、電極部４０は、それ以外の導電性を有する材料で形成されてもよい。例えば、電極部４０は、導電性ゴム等でもよい。さらには、電極部４０は、ＦＰＣ（フレキシブルプリント回路基板）等で構成されてもよい。
【００３０】
電極部４０は、湾曲部４１以外の外表面に、絶縁材料が被覆されている。絶縁材料は、電気を通さない。絶縁材料は、電極部４０の外表面の、生体組織に接触しない側、すなわちバルーン３０と対面する側に設けられてもよい。
【００３１】
電極部４０は、本実施形態では、１０本が周方向Ｚに均等に設けられている。ただし、電極部４０の数はこれより多くてもよく、少なくてもよい。電気信号は、隣接する電極部４０間に印加されるが、体外に電極（あるいは対極板）を配置し、その体外の電極（あるいは対極板）と電極部４０との間に電気信号を印加してもよい。
【００３２】
ハブ６０は、図１に示すように、内管２２の基端部が連結されている。内管２２の外側に位置して内管２２に対して軸方向へ移動可能な第１管体２３は、ハブ６０に対して摺動可能に連結されている。ハブ６０は、ガイドワイヤルーメン２７と連通する開口を有する第１ポート６１と、拡張ルーメン２８と連通する開口を有する第２ポート６２とを有している。
【００３３】
次に、医療デバイス１０を用いた処置方法について説明する。始めに、イントロデューサー（図示しない）を経皮的に血管に穿刺する。次に、ガイドワイヤ（図示しない）をガイディングカテーテル（図示しない）に挿入した後、ガイディングカテーテルを、イントロデューサーに挿入する。次に、ガイドワイヤを先端側に突出させてから、ガイディングカテーテルの先端部を、イントロデューサーの先端部開口から血管内へ挿入する。この後、ガイドワイヤを先行させつつ、ガイディングカテーテルを目的部位まで徐々に押し進める。術者は、右心房側から左心房側に向かって、所定の穿刺デバイスを貫通させることにより、心房中隔に貫通孔を形成する。穿刺デバイスは、例えば、先端が尖ったワイヤ等のデバイスを利用することができる。穿刺デバイスの送達は、ガイディングカテーテルを介して行うことができる。また、穿刺デバイスは、例えば、ガイディングカテーテルからガイドワイヤを抜去した後、ガイドワイヤに代えて心房中隔まで送達することができる。なお、心房中隔の貫通に使用される穿刺デバイスの具体的な構造、貫通孔を形成する際の具体的な手順等は特に限定されない。術者は、貫通孔を形成後、ダイレータを使って、貫通孔を押し広げる。次に、術者は、貫通孔にガイディングカテーテルを通し、ガイディングカテーテルを、ガイドワイヤを使って目的部位（例えば、肺静脈付近）まで押し進める。
【００３４】
次に、シャフト部２０のガイドワイヤルーメン２７の先端開口部に、ガイドワイヤの末端を挿入し、ハブ６０の第１ポート６１からガイドワイヤを出す。次に、血管内に挿入されているガイディングカテーテル内に、医療デバイス１０を先端部から挿入し、ガイドワイヤに沿わせて押し進める。このとき、ガイドワイヤの代わりに電極付きリングカテーテルを使用してもよい。
【００３５】
図５に示すように、電極部４０を目的位置である肺静脈７０の入口まで挿入したら、第２ポート６２および拡張ルーメン２８を介して拡張用流体をバルーン３０内に供給する。これにより、バルーン３０が拡張し、電極部４０がバルーン３０によって押されて径方向に拡張する。このとき、外管２１が内管２２に対して先端側へ移動し、電極部４０の基端部が先端側へ移動する。これにより、電極部４０は、バルーン３０の拡張に追従しながら変形できる。このため、電極部４０の中央部に位置する湾曲部４１が、バルーン３０によって生体壁７１に押し付けられる。電極部４０は、生体組織の形状に合わせて変形できる。このため、電極部４０が生体組織に密着でき、電気信号を印加しやすい。この状態で、電源部１２から導電体５０を介して電極部４０に電気信号が印加される。
【００３６】
電源部１２からは、まず、周方向Ｚに隣接する一対の電極部４０、４０に対して、パルス状の電気信号が印加される。これにより、周方向Ｚに隣接する一対の電極部４０，４０間に電流が流れる。次に、周方向Ｚに隣接する他の対の電極部４０、４０に対して、パルス状の電気信号が印加される。電気信号の印加は、周方向Ｚに隣接する全ての対となる電極部４０、４０に対して、順次行われる。印加される電気信号の一例を以下に挙げる。電源部１２が印可する電界強度は、１５００Ｖ／ｃｍであり、電気信号のパルス幅は１００μｓｅｃである。周方向Ｚに隣接する電極部４０の全ての対に対する電気信号の印加は、２秒に１回のサイクルで、心室筋の不応期に合わせて、６０〜１８０回繰り返される。これによって、肺静脈の入口の細胞を全周に渡って壊死させる。なお、隣接していない複数の電極部４０の間で電気信号を印加してもよく、電極部４０から体表に貼り付けられた対極板に対して電気信号を印加してもよい。
【００３７】
電気信号の印加が完了したら、バルーン３０を収縮させる。これにより、電極部４０も、自己の復元力によって径方向に収縮する。このとき、外管２１が内管２２に対して基端側へ移動し、電極部４０の基端部が基端側へ移動する。これにより、電極部４０は、バルーン３０の収縮に追従しながら変形できる。この後、血管内に挿入された全ての器具を抜出し、処置を完了する。なお、電極部４０がＮｉ−Ｔｉ合金等の超弾性合金以外の素材の場合、内管２２を先端側に押し（または、外管２１を基端側に引き）、電極部４０を径方向に収縮させる操作を行うことが好ましい。
【００３８】
以上のように、第１実施形態に係る医療デバイス１０は、長尺なシャフト部２０と、シャフト部２０の先端部に配置され、シャフト部２０の長さ方向に沿って延在し、前記シャフト部２０の径方向に変形可能である電気的に独立した複数の電極部４０と、シャフト部２０に埋設される埋設部５２を備え、電極部４０へ電流を通す電気的に独立した複数の導電体５０と、を有し、少なくとも１つの導電体５０は、シャフト部２０の先端面２５から突出し、電極部４０と接続される突出部５１を有する。
【００３９】
上記のように構成した医療デバイス１０は、複数の導電体５０の基端側の埋設部５２がシャフト部２０に埋設され、電極部４０と接続される先端側の突出部５１がシャフト部２０の先端面２５から突出する。このため、電極部４０がシャフト部４０の外径よりも内側に位置することができるので、電極部４０が径方向外側へ突出せず細径化が可能であるため、細い生体内腔へ挿入できると共に、径方向に湾曲する電極部４０により、広い範囲を効果的にアブレーションできる。電極部４０は、シャフト部４０の外周面と同じ位置に位置してもよい。さらに、シャフト部２０に導電体５０が埋設されるため、シャフト部２０の曲げ剛性が高まり、耐キンク性が向上する。例えば、電極部４０を肺静脈７０の入口付近に当接する際に、シャフト部２０が心房中隔の穿刺部位（例えば、卵円窩）において径方向に動けないため、シャフト部２０が湾曲する。このとき、シャフト部２０の曲げ剛性が高まるため、シャフト部２０のキンクの発生を抑制できる。
【００４０】
また、複数の導電体４０の各々が突出部５１を有し、突出部５１の各々が異なる電極部４０と接続される。これにより、複数の電極部４０の各々に、独立した電気信号を印可することができる。
【００４１】
また、突出部５１は、当該突出部５１の軸方向の先端側に位置する電極部４０と接続される。これにより、電極部４０が径方向外側へ突出せず、医療デバイス１０の細径化が容易である。
【００４２】
また、突出部５１の少なくとも一部は、シャフト部２０の周方向Ｚと直角である。これにより、電極部４０および突出部５１の少なくとも一方を、シャフト部２０の周方向Ｚの適切な位置に正確に配置できる。
【００４３】
また、突出部５１の少なくとも一部は、シャフト部２０の軸心Ｘと平行であり、埋設部５２の少なくとも一部は、シャフト部２０の軸心Ｘを巻回する螺旋状である。これにより、シャフト部２０の曲げ剛性が、曲げる方向によって偏らず、均質なシャフト部２０を形成できる。
【００４４】
また、複数の電極部４０は、シャフト部２０の周方向Ｚに均等に配置される。これにより、電極部４０によって、目的の部位を万遍なくアブレーションできる。
【００４５】
また、シャフト部２０の軸心Ｘから導電体５０までの半径をＲ、導電体５０の数をＮ、シャフト部２０の軸心Ｘと直交する断面に対する導電体５０の傾斜角度をθとした場合、隣接する導電体５０の中心軸Ｙ間の距離Ｄは、２πＲ／Ｎ・ｓｉｎθである。これにより、導電体５０を、シャフト部２０の周方向Ｚに均等に配置できる。したがって、電極部４０が周方向Ｚに均等に配置される場合に、導電体５０の位置を電極部４０に合わせて配置することが容易である。
【００４６】
また、シャフト部２０は、先端面２５よりも径方向内側の位置から、先端面２５よりも先端側へ突出する段差部２６を有する。これにより、導電体５０の突出部５１を段差部２６で支持することができ、導電体５０の断線を抑制できる。本実施形態において、シャフト部２０の外管２１は、段差部２６を備える第１外管２３と、第１管体２３の外周面を覆って第１管体２３に固定される第２管体２４とを有するため、先端面２５よりも径方向内側の位置から、段差部２６を形成することが容易である。
【００４７】
また、医療デバイス１０は、シャフト部２０および電極部４０の間に位置し、シャフト部２０の径方向外側へ拡張可能な拡張体（例えば、バルーン３０）を有する。これにより、医療デバイス１０は、拡張体の拡張により、電極部４０を生体組織に密着させることができる。
＜第２実施形態＞
【００４８】
第２実施形態に係る医療デバイス８０は、図６〜８に示すように、電極部４０および導電体５０が、シャフト部２０の周方向Ｚに偏って設けられる点でのみ、第１実施形態と異なる。
【００４９】
複数の導電体５０は、シャフト部２０の先端面２５から、シャフト部２０の周方向Ｚに偏った位置で、先端方向へ突出する突出部５１を有している。このため、シャフト部２０の内部の複数の導電体５０は、まとまった１群を形成し、まとまった状態で隙間８１を挟みつつ螺旋状に配置される。突出部５１と、複数の電極部４０の電極基端部４２は、複数の突出部５１の先端側に位置している。このため、電極基端部４２を、突出部５１と電気的に接続することが容易である。
【００５０】
以上のように、第２実施形態に係る医療デバイス８０では、複数の電極部４０が、シャフト部２０の周方向Ｚの一部に偏って配置される。これにより、医療デバイス８０では、電極部４０によって、周方向Ｚの特定の部位のみを、意図的にアブレーションできる。したがって、医療デバイス８０では、特定の部位のみをアブレーションし、それ以外の部位をアブレーションしないように容易に調節できる。なお、突出部５１の偏り方は、特に限定されない。したがって、突出部５１および電極部４０は、シャフト部２０の周方向Ｚの複数個所に偏って設けられてもよい。また、隣接する突出部５１間の距離、および隣接する電極部４０間の距離は、不均一であってもよい。
＜第３実施形態＞
【００５１】
第３実施形態に係る医療デバイス９０は、図９、１０に示すように、導電体５０が編組されており、支持体１００を有する点でのみ、第１実施形態と異なる。
【００５２】
シャフト部２０の内部には、編組された（ｂｒａｉｄｅｄ）複数の線材９１が配置されている。この線材９１の一部が、導電体５０として利用される。なお、全ての線材９１が、導電体５０として利用されてもよい。導電体５０として利用される線材９１は、導電材料により形成され、絶縁層９２で表面を被覆されている。導電体５０として利用されない線材９１は、導電材料により形成されても、導電材料により形成されなくてもよい。導電体５０として利用されない線材９１は、導電材料により形成されなければ、導電体５０として利用される線材９１との間の電気的な短絡を抑制できる。導電体５０として利用されない線材９１は、絶縁層９２で表面を被覆されても、被覆されなくてもよい。シャフト部２０の段差部２６の外表面には、複数の電極部４０の電極基端部４２を支持する支持体１００が固定されている。
【００５３】
支持体１００は、筒状であり、外周面に、電極部４０の電極基端部４２を収容する複数の収容部１０１が形成されている。支持体１００は、先端面２５から先端方向へ離れて位置している。支持体１００は、先端面２５から先端方向へ離れていなくてもよい。収容部１０１は、シャフト部２０の長さ方向へ延在する溝である。複数の収容部１０１は、支持体１００の周方向Ｚに均等に並んで形成されている。各々の収容部１０１は、１つの電極基端部４２を収容する。電極基端部４２は、支持体１００に収容された状態で、接着剤等によって支持体１００に固定される。支持体１００は、電極基端部４２ではなく、導電体５０の突出部５１を収容してもよい。または、支持体１００は、電極基端部４２および突出部５１の両方を収容してもよい。また、支持体１００は、電極部４０の先端側に位置する電極先端部４３を収容するように、バルーン３０よりも先端側に位置する内管２２の外周面に設けられてもよい。
【００５４】
以上のように、第３実施形態に係る医療デバイス９０では、シャフト部２０の外周面に配置される環状の支持体１００をさらに有し、支持体１００は、電極部４０および突出部５１の少なくとも一方を収容する収容部１００が形成されている。これにより、電極部４０および突出部５１の少なくとも一方を、シャフト部２０の周方向Ｚの適切な位置に正確に配置できる。
【００５５】
また、支持体１００は、先端面２５から先端方向へ離れて位置している。これにより、先端面２５から突出する突出部５１は、支持体１００と先端面２５の間の隙間で適切な姿勢となり、支持体１００の適切な位置に配置される。
【００５６】
また、導電体５０は、螺旋状に編組された複数の線材９１の少なくとも一部であり、絶縁層９２で表面を被覆されている。これにより、導電体５０は、編組された線材９１を用いることができ、編組によって導電体５０同士が接触しても、絶縁層９２により電気的な短絡を抑制できる。
【００５７】
なお、本発明は、上述した実施形態のみに限定されるものではなく、本発明の技術的思想内において当業者により種々変更が可能である。例えば、上述の実施形態の医療デバイス１０は、肺静脈の処置に用いるものを示したが、それ以外の部位、例えば、腎動脈、上行大静脈、心室などを処置するものであってもよい。
【００５８】
また、電極部４０へ電流を伝える導電体５０は、螺旋形状や、編組された線材９１の一部でなくてもよい。例えば、導電体５０は、シャフト部２０の軸心Ｘに沿って直線状に延在する線材であってもよい。また、導電体５０は、湾曲または屈曲する線材であってもよい。
【００５９】
また、医療デバイスの拡張体は、バルーン３０でなくてもよい。また、医療デバイスは、電極部４０を径方向外側へ押圧する拡張体を有さなくてもよい。例えば、医療デバイスは、バルーン３０がなくても、外管２１を内管２２に対して先端方向へ移動させることで、電極部４０を、シャフト部２０の径方向へ拡張させることができる。また、電極部４０または導電体５０の一部に、伸長可能な部位が設けられれば、外管２１および内管２２は、軸方向へ相対的に移動可能でなくてもよい。この場合、バルーン３０が拡張して電極部４０が径方向の外側へ湾曲しても、伸長可能な部位が伸長するため、外管２１および内管２２が相対的に移動する必要がない。または、固定部２９が、内管２２の外周面に対して軸方向へ摺動可能であってもよい。また、導電体は、外管２１ではなく、内管２２に埋設されてもよい。この場合、導電体は、電極部４０の先端部と電気的に接続される。
【００６０】
なお、本出願は、２０１８年９月２７日に出願された日本特許出願番号２０１８−１８１９７６号に基づいており、それらの開示内容は、参照され、全体として、組み入れられている。
【符号の説明】
【００６１】
１０、８０、９０    医療デバイス
２０    シャフト部
２１    外管
２２    内管
２３    第１管体
２４    第２管体
２５    先端面
２６    段差部
３０    バルーン（拡張体）
４０    電極部
４１    湾曲部
５０    導電体
５１    突出部
５２    埋設部
５３    接続部
９１    線材
９２    絶縁層
１００    支持体
１０１    収容部
Ｄ    隣接する導電体の中心軸間の距離
Ｎ    導電体の数
Ｒ    シャフト部の軸心から導電体の中心軸までの半径
Ｘ    軸心
Ｙ    導電体の中心軸
Ｚ    周方向
θ    導電体の傾斜角度
【図１】
2020067491.tif 000003
【図２】
2020067491.tif 000004
【図３】
2020067491.tif 000005
【図４】
2020067491.tif 000006
【図５】
2020067491.tif 000007
【図６】
2020067491.tif 000008
【図７】
2020067491.tif 000009
【図８】
2020067491.tif 000010
【図９】
2020067491.tif 000011
【図１０】
2020067491.tif 000012
【国際調査報告】
2020067491.tif 000013
2020067491.tif 000014